(57)【要約】【課題】各種のカードにおける占有スペースを極力抑えることができるカード用コネクタを提供すること。【解決手段】カード外形寸法がそれぞれ異なる複数種のカード３１，３３を同一な挿入方向Ａへ挿入し収容するインシュレータ１１は、前記カード３１，３３を収容する複数のカード収容部１３，１５を有し、前記カード収容部１３，１５の複数のベース面１３ａ，１５ａは、上下方向に連接されており、前記ベース面１３ａ，１５ａの間隔は、前記カード３１，３３のうちの何れか一つが前記カード収容部１３，１５に嵌合している状態で、他の前記カードの挿入を阻止する寸法に設定されている。【選択図】　　　図１
2004022514.tif 000002
【特許請求の範囲】
【請求項１】
カード外形寸法がそれぞれ異なる複数種のカードを同一な挿入方向で挿入し収容するインシュレータと、前記カードを前記インシュレータに収容し嵌合したときに前記カードの導電性のカード側コンタクトに接触する導電性のコンタクトとを含むカード用コネクタにおいて、
前記インシュレータは、複数種の前記カードを一対一に収容する複数のカード収容部を有し、該カード収容部は、前記嵌合時に前記カードに一対一に対応する前記カード寸法をもつ複数のベース面を有し、該ベース面のそれぞれは、互いに平行にかつ前記カードの厚み方向で上下方向に連接されて形成されており、前記コンタクトが前記ベース面のそれぞれに設けられており、前記ベース面の前記上下方向の間隔が前記カードのうちの何れか一つが前記カード収容部に嵌合している状態で、他の前記カードの挿入を阻止する寸法となっていることを特徴とするカード用コネクタ。
【請求項２】
請求項１記載のカード用コネクタにおいて、前記カード収容部に嵌合している前記カードを前記挿入方向とは反対側の離脱方向へ離脱させる複数のイジェクト機構を有し、該イジェクト機構のそれぞれは、前記カード収容部のそれぞれに設けられて前記嵌合時に前記挿入方向の先端側で前記カードのそれぞれに一対一に当接するイジェクトアームと、該イジェクトアームに接続されて前記挿入方向へ延びて前記挿入方向及び前記離脱方向へ移動可能なイジェクトレバーと、該イジェクトレバーを相互に係合した係合部とを有し、前記カードの何れか一つに対応する一つの前記イジェクトレバーを操作した際に、他の前記イジェクトレバーが連動して移動することを特徴とするカード用コネクタ。
【請求項３】
請求項２記載のカード用コネクタにおいて、前記係合部は、前記イジェクトレバーのそれぞれに一体に形成されていることを特徴とするカード用コネクタ。
【発明の詳細な説明】
【０００１】
【発明の属する技術分野】
本発明は、ＩＣカードのようなカードを挿入して接続するカード用コネクタに属し、特に、ノート型パーソナルコンピュータ、ＰＤＡ，携帯電話などの携帯端末に搭載されるカード用コネクタに属する。
【０００２】
【従来の技術】
従来のカード用コネクタでは、一種類のカードのみを嵌合して、このカードを接続するように対応するものがある。このようなカード用コネクタは、多種類の形状の異なるカードを嵌合して接続することができない。したがって、二種類のカードに対応するカード用コネクタとする場合には、二種類のカード用コネクタを携帯端末に搭載し、さらに、イジェクト機構もカード用コネクタそれぞれに設けることによって対応している。
【０００３】
なお、この種のカード用コネクタの参考例としては、特開平１０−７４２４４号公報に開示されているコンビチップカード用の接触ユニットがある。
【０００４】
【発明が解決しようとする課題】
しかしながら、従来のカード用コネクタは、二種類のカードに対応する場合に、二種類のカード用コネクタを携帯端末に搭載し、さらに、イジェクト機構もそれぞれに設けられているため、カード用コネクタの占有スペースが大きくなり、携帯端末の小型化への大きな妨げとなる。
【０００５】
また、二種類のカードに対応する場合には、二種類のイジェクト機構を採用することから、部品点数を増加させ、コストの増大を招くという問題がある。
【０００６】
それ故に本発明の課題は、複数種のカードにおける占有スペースを極力抑えることができるカード用コネクタを提供することにある。
【０００７】
また、本発明の他の課題は、カードの種類を選ばない単一共有のイジェクトレバーをもつことにより、イジェクト機構の単純化と部品点数、工数の削減を図ることができるカード用コネクタを提供することにある。
【０００８】
さらにまた、本発明の他の課題は、いずれか一枚のカードが挿入可能なカード用コネクタとして、単一のイジェクト機構によってカードを選ばずイジェクトを可能にしたカード用コネクタを提供することにある。
【０００９】
【課題を解決するための手段】
本発明によれば、カード外形寸法がそれぞれ異なる複数種のカードを同一な挿入方向で挿入し収容するインシュレータと、前記カードを前記インシュレータに収容し嵌合したときに前記カードの導電性のカード側コンタクトに接触する導電性のコンタクトとを含むカード用コネクタにおいて、前記インシュレータは、複数種の前記カードを一対一に収容する複数のカード収容部を有し、該カード収容部は、前記嵌合時に前記カードに一対一に対応する前記カード寸法をもつ複数のベース面を有し、該ベース面のそれぞれは、互いに平行にかつ前記カードの厚み方向で上下方向に連接されて形成されており、前記コンタクトが前記ベース面のそれぞれに設けられており、前記ベース面の前記上下方向の間隔が前記カードのうちの何れか一つが前記カード収容部に嵌合している状態で、他の前記カードの挿入を阻止する寸法となっていることを特徴とするカード用コネクタが得られる。
【００１０】
【作用】
本発明に係るカード用コネクタによると、一つのカードが対応する一つのカード収容部に嵌合している途中の状態、もしくは嵌合した状態では、カードが挿入されていないベース面にもう一つのカードの挿入を阻止される。即ち、カードは、何れかの一つがカード収容部の何れかに嵌合しているときには、もう一方のカードは挿入できないようになっている。
【００１１】
嵌合した後のカードは、いずれもイジェクトアームによってカードのいずれでもイジェクトレバーが離脱方向の端部に設けられている操作部を操作することによってイジェクトが可能になる。
【００１２】
【発明の実施の形態】
以下、本発明に係るカード用コネクタの一実施の形態例を説明する。図１は、一実施の形態例におけるカード用コネクタと、このカード用コネクタに接続する二種類のカードを示している。
【００１３】
図１を参照して、カード用コネクタは、略平板形状を呈するインシュレータ１１と、導電性のコンタクト（第１のコンタクト２１，第２のコンタクト２３）と、イジェクト機構（第１のイジェクト機構４３，第２のイジェクト機構４５）とを備えている。
【００１４】
カード用コネクタに接続するカードは、略長四角板形状を呈しており、カード寸法がそれぞれ異なる二つのカードであり、第１のカード３１と、第１のカード３１よりも板厚寸法が薄く、平面から見た外形形状が大きい寸法の第２のカード３３とからなる。したがって、第１のカード３１は、第２のカード３３よりも板厚寸法が厚く、平面から見た外形形状が小さい寸法となっている。
【００１５】
インシュレータ１１は、第１のカード３１を、図１に矢印によって示した挿入方向Ａへ挿入して第１のカード３１を一対一に収容するように形成されている第１のカード収容部１３と、第２のカード３３を挿入方向Ａへ挿入して第２のカード３３を一対一に収容するように形成されている第２のカード収容部１５とを有している。
【００１６】
第１のカード収容部１３は、嵌合時に第１のカード３１に一対一に対応するカード寸法をもつ第１のベース面１３ａを有している。第２のカード収容部１５は、嵌合時に第２のカード３３に一対一に対応するカード寸法をもつ第２のベース面１５ａを有している。
【００１７】
第１及び第２のベース面１３ａ，１５ａは、互いに平行にかつ第１及び第２のカード３１，３３の厚み方向と同一方向で上下方向に連接されている。即ち、第１及び第２のカード収容部１３，１５は、インシュレータ１１の内部に段差をもつ二段構えになっており、下段には第１のカード３１が、上段には第２のカード３３を挿入することが可能になっている。
【００１８】
第１のベース面１３ａには、複数の第１のコンタクト２１が設けられている。第２のベース面１５ａには、複数の第２のコンタクト２３が設けられている。第１及び第２のコンタクト２１，２３は、例えば、インシュレータ１１の外で、カード用コネクタを搭載した図示しないプリント配線基板の回路に接続される。
【００１９】
第１のカード３１が第１のカード収容部１３に嵌合したときには、第１のコンタクト２１と第１のカード３１に設けられている第１のカード側コンタクト３１ａとが接触する。第２のカード３３が第２のカード収容部１５に嵌合したときには、第２のコンタクト２３と第２のカード３３に設けられている第２のカード側コンタクト３３ａと接触する。第１及び第２のカード側コンタクト３１ａ，３３ａは、弾性を有するものである。
【００２０】
二つのイジェクト機構４３，４５は、図２にも示すように、第１及び第２のカード収容部１３，１５の何れか一方に対応して嵌合している第１及び第２のカード３１，３３の何れか一方を挿入方向Ａとは反対側の離脱方向Ｂへ離脱させるものである。
【００２１】
第１のイジェクト機構４３は、第１のカード収容部１３の挿入方向Ａにおける奥部に設けられて挿入方向Ａ及び離脱方向Ｂへ移動可能である。第２のイジェクト機構４５は、第２のカード収容部１５の奥部に設けられて挿入方向Ａ及び離脱方向Ｂへ移動可能である。
【００２２】
第１のイジェクト機構４３は、嵌合時に挿入方向Ａの先端側で第１のカード３１の端面に当接する第１のイジェクトアーム４３ａと、第１のイジェクトアーム４３ａに一体に接続されて挿入方向Ａ及び離脱方向Ｂへ延びて挿入方向Ａ及び離脱方向Ｂへ移動可能な第１のイジェクトレバー４３ｂと、第１のイジェクトレバー４３ｂを常に挿入方向Ａへ付勢しているスプリング４６とを有している。
【００２３】
第１のイジェクトレバー４３ｂは、第１のカード収容部１３の挿入方向Ａを直交する第１のベース面１３ａの一辺側に設けられており、第１のイジェクトアーム４３ａが第１のイジェクトレバー４３ｂを直交する方向へ延びて第１のベース面１３ａに対向している。
【００２４】
第２のイジェクト機構４５は、嵌合時に挿入方向Ａの先端側で第２のカード３３の端面に当接する第２のイジェクトアーム４５ａと、第２のイジェクトアーム４５ａに一体に接続されて挿入方向Ａ及離脱方向Ｂへ延びて挿入方向Ａ及び離脱方向Ｂへ移動可能な第２のイジェクトレバー４５ｂとを有している。
【００２５】
第１及び第２のイジェクトレバー４３ｂ，４５ｂは、これらが相互に係合部４７によって係合されている。係合部４７は、第１のイジェクトレバー４３ｂを操作した際に、第２のイジェクトレバー４５ｂが連動して移動する。
【００２６】
第２のイジェクトレバー４５ｂは、第２のカード収容部１５の挿入方向Ａを直交する一辺側に設けられており、第２のイジェクトアーム４５ａが第２のイジェクトレバー４５ｂを直交する方向へ延びて第２のベース面１５ａに対向している。第２のイジェクトレバー４５ｂは、第２のイジェクトレバー４５ｂの外側に位置しており、離脱方向Ｂの先端面とインシュレータ１１の側枠部１１ｃの挿入方向Ａ側における端面との間にスプリング４６が介在されている。よって、第２のイジェクトレバー４５ｂは、スプリング４６によって常時、インシュレータ１１の挿入方向Ａにおける後壁部１１ｄへ押圧されている。
【００２７】
さらに、第１及び第２のベース面１３ａ，１５ａの上下方向における間隔は、第１のカード３１が第１のカード収容部１３に嵌合している状態で、第２のカード３３の挿入を阻止する寸法に設定されている。
【００２８】
図３及び図４は、第１のカード３１が第１のカード収容部１３へ挿入されて嵌合する直前の状態を示している。このように，第１のカード３１は、第１のカード収容部１３に嵌合し、また、第２のカード３３は、第２のカード収容部１５に嵌合するようになっている。
【００２９】
図３及び図４に示すように、第１のカード３１が第１のカード収容部１３に嵌合している途中の状態、もしくは嵌合した状態では、第１のカード３１の厚さ寸法に対して第１及び第２のベース面１３ａ，１５ａの上下方向における間隔寸法が小さく設定されている。よって、第１のカード３１は、厚さ方向で第２のベース面１５ａよりも上方へ出ている部分があるため、第２のカード３３の挿入を邪魔するため第２のカード３３の挿入が阻止される。
【００３０】
図５及び図６は、第２のカード収容部１５へ第２のカード３３が嵌合する途中の状態を示している。図５及び図６に示すように、第２のカード３３が第２のカード収容部１５へ嵌合している途中の状態、もしくは嵌合した後の状態では、第１のベース面１３ａ上に第２のカード３３が位置しているので、第１及び第２のベース面１３ａ，１５ａの上下方向における間隔寸法内に、第１のカード３１を挿入することができない。したがって、第１及び第２のカード３１，３３は、何れかの一つが第１及び第２のカード収容部１３，１５の何れかに嵌合しているときには、もう一方のカードは挿入できないようになっている。
【００３１】
嵌合した後の第１及び第２のカード３１，３３は、いずれも第１及び第２のイジェクトアーム４３ａ，４３ｂによって第１及び第２のカード３１，３３のいずれでも第１のイジェクトレバー４３ｂを離脱方向Ｂの端部に設けられている操作部４３ｆを手前（図１に示した離脱方向Ｂに相当）に引くようにして動かすこととで、イジェクトが可能になる。
【００３２】
図７及び図８は、第１及び第２のカード３１，３３が第１及び第２のカード収容部１３，１５に占める占有スペースを示している。図７及び図８において符号にて示したＳ１は、第１のカード３１が占める占有スペースであり、Ｓ２は、第２のカード３３が占める占有スペースであり、Ｓ３は、第１及び第２のカード３１，３３の共有スペースを示している。
【００３３】
図７及び図８によって明らかなように、第１及び第２のカード３１，３３は、第１及び第２のカード収容部１３，１５に共用スペースＳ３をもつことになっており、これに第１及び第２のカード３１，３３の同時挿入は不可能であるが、インシュレータ１１の高さ寸法を抑え、厚さ方向で小さいスペース化が可能となる。
【００３４】
なお、第１及び第２のイジェクト機構４３，４５は、手前に引くだけではなく、挿入方向Ａに押してイジェクトするコネクタのタイプのものに、２つのイジェクトアームやイジェクトレバーを備えていれば応用が可能である。
【００３５】
なお、実施の形態例においては、第１及び第２のカード収容部１３，１５、第１及び第２のイジェクト機構４３，４５を備えているカード用コネクタによって説明したが、カード収容部、イジェクト機構を２つ以上、上下方向に備えて、カード用コネクタとすることも可能であることは言うまでもない。
【００３６】
【発明の効果】
以上説明したように、本発明に係るカード用コネクタによれば、外形形状がそれぞれ異なる複数種のカードを同一な挿入方向から挿入し収容して嵌合する複数のカード収容部のスペースを共有することにより、インシュレータの高さを抑えることができるので、カード用コネクタの低薄化が可能となる。
【００３７】
また、本発明によれば、いずれかのカードが挿入されていても単一のイジェクトレバーによりカードを選ばずにイジェクトが可能となる。
【００３８】
また、何れかのカード収容部に一つのカードが嵌合している状態では、嵌合中のカードの種類によらず、一つのイジェクトレバーにより、カードをイジェクトすることが可能となる。
【００３９】
さらに、複数種のカードに共用する複数のイジェクト機構をもっており、構造を簡単化することにより部品点数の削減を図ることができる。
【図面の簡単な説明】
【図１】本発明の一実施の形態例によるカード用コネクタと、カード用コネクタに接続するカードを示す斜視図である。
【図２】図１に示したカード用コネクタのイジェクト機構を操作した状態を示す斜視図である。
【図３】図１に示したカード用コネクタの第１のカードが第１のカード収容部へ挿入されて嵌合する直前の状態を示す斜視図である。
【図４】図３に示したカード用コネクタの断面図である。
【図５】図１に示したカード用コネクタの第２のカードが第２のカード収容部へ挿入されて嵌合する直前の状態を示す斜視図である。
【図６】図５に示したカード用コネクタの断面図である。
【図７】図１に示したカード用コネクタの第１及び第２のカードが第１及び第２のカード収容部に占める占有スペースを示した説明図である。
【図８】図７を挿入方向から見た説明図である。
【符号の説明】
１１　　インシュレータ
１３　　第１のカード収容部
１５　　第２のカード収容部
１３ａ　　第１のベース面
１５ａ　　第２のベース面
２１　　第１のコンタクト
２３　　第２のコンタクト
３１　　第１のカード
３１ａ　　第１のカード側コンタクト
３３　　第２のカード
３３ａ　　第２のカード側コンタクト
４３　　第１のイジェクト機構
４３ａ　　第１のイジェクトアーム
４３ｂ　　第１のイジェクトレバー
４３ｆ　　操作部
４５　　第２のイジェクト機構
４５ａ　　第２のイジェクトアーム
４５ｂ　　第２のイジェクトレバー
４６　　スプリング
【図１】
2004022514.tif 000003
【図２】
2004022514.tif 000004
【図３】
2004022514.tif 000005
【図４】
2004022514.tif 000006
【図５】
2004022514.tif 000007
【図６】
2004022514.tif 000008
【図７】
2004022514.tif 000009
【図８】
2004022514.tif 000010